(57)【特許請求の範囲】
【請求項１】
インバータにより運転制御される圧縮機（２５）を有するヒートポンプユニット（２）を備え、このヒートポンプユニット（２）で加熱された温水を水循環用ポンプ（１３）で貯湯タンク（３）に貯湯するヒートポンプ式給湯装置であって、上記水循環用ポンプ（１３）の消費電力量を、単位時間当りの消費電力と使用時間との積として算出すると共に、上記圧縮機（２５）の消費電力量を、上記インバータの入力電流センサ（４３）からの入力検知信号に基づいて演算した消費電力を使用時間で時間積分して算出し、上記水循環用ポンプ（１３）の消費電力量と圧縮機（２５）の消費電力量との合計をリモコン（Ｒ）等の表示手段に表示することを特徴とするヒートポンプ式給湯装置。
【請求項２】
水循環用ポンプ（１３）を有する貯湯ユニット（１）と、インバータにより運転制御される圧縮機（２５）を有するヒートポンプユニット（２）と、リモコン（Ｒ）とを備えたヒートポンプ式給湯装置であって、上記貯湯ユニット（１）の消費電力量を、単位時間当りの消費電力と使用時間との積として算出すると共に、上記ヒートポンプユニット（２）の消費電力量を、上記インバータの入力電流センサ（４３）からの入力検知信号に基づいて演算した消費電力を使用時間で時間積分して算出し、上記貯湯ユニット（１）の消費電力量とヒートポンプユニット（２）の消費電力量との合計を機器全体の消費電力量として上記リモコン（Ｒ）に表示することを特徴とするヒートポンプ式給湯装置。
【請求項３】
貯湯ユニット（１）が保温用電気ヒータ（３５）と風呂循環ポンプ（２２）とを有することを特徴とする請求項２のヒートポンプ式給湯装置。
【請求項４】
上記ヒートポンプユニット（２）の制御手段（３７）で演算した消費電力を逐次上記貯湯ユニット（１）の制御手段（３６）に転送して、この貯湯ユニット（１）の制御手段（３６）にて機器全体の上記消費電力量の算出を行うことを特徴とする請求項２又は請求項３のヒートポンプ式給湯装置。
【請求項５】
上記圧縮機（２５）の消費電力を、インバータの電源電圧と入力電流との積に力率を乗じて算出する際に、上記圧縮機（２５）の周波数に基づいてこの力率を決定することを特徴とする請求項１〜請求項４のいずれかのヒートポンプ式給湯装置。
【請求項６】
上記圧縮機（２５）の消費電力を、インバータの電源電圧と入力電流との積に力率を乗じて算出する際に、上記入力電流に基づいてこの力率を決定することを特徴とする請求項１〜請求項４のいずれかのヒートポンプ式給湯装置。
【請求項７】
上記力率を電源周波数に応じて調整することを特徴とする請求項５又は請求項６のヒートポンプ式給湯装置。
【発明の詳細な説明】
【０００１】
【発明の属する技術分野】
この発明は、ヒートポンプ式給湯装置に関するものである。
【０００２】
【従来の技術】
ヒートポンプ式給湯装置は、図６に示すように、貯湯ユニット５０と、ヒートポンプユニット５１とを備えている。すなわち、貯湯ユニット５０は貯湯タンク５２を備え、貯湯タンク５２には循環路５３が連結され、この循環路５３に、熱交換路５４と水循環用ポンプ５５とが介設されている。また、ヒートポンプユニット５１は冷媒回路５６を備え、この冷媒回路５６は、圧縮機５７と水熱交換器５８と膨張弁５９と蒸発器６０とを順に接続して構成される。そして、圧縮機５７を駆動させると共に、水循環用ポンプ５５を駆動（作動）させることによって、貯湯タンク５２の下部の未加熱水が循環路５３へ流出し、これが循環路５５の熱交換路５４を流通する。そのとき、上記水熱交換器５８にて加熱されている熱交換路５４によってこの未加熱水が加熱され（沸上げられ）、貯湯タンク５２の上部に返流される。このような動作を継続して行うことによって、貯湯タンク５２に高温の温湯を貯湯することができる。
【０００３】
ところで、近年、地球環境保護の観点から省エネの必要性が認識されつつある。そのため、電気温水器では、消費電力量等を表示してユーザの省エネ意識を高めるようとするものがあった。すなわち、消費電力量が表示されれば、使用者（ユーザ）は電気料金がわかり、高ければこの消費電力量を減少させようと努めることになるからである。そして、この電気温水器では、消費電力量を算出する場合、使用する電気ヒータの消費電力は時間的にほぼ一定であるので、単位時間当りの消費電力に使用時間を乗じるだけで簡単に消費電力量を算出することができた。
【０００４】
【発明が解決しようとする課題】
しかしながら、上記ヒートポンプ式給湯装置では、上記のように、貯湯ユニット５０とヒートポンプユニット５１とがあり、異なる特性（電力特性）を有する二つの電気ユニット５０、５１を備えていることになる。従って、この両ユニット５０、５１の消費電力量をそれぞれ算出する必要がある。ところが、ヒートポンプユニット５１側では、外気温度や出湯温度等により消費電力が時間的に変動するので、消費電力量を正確に安定して算出することができなかった。このため、従来では、ヒートポンプ式給湯装置の全体としての消費電力量を算出するということはきわめて困難であった。
【０００５】
この発明は、上記従来の欠点を解決するためになされたものであって、その目的は、機器全体の消費電力量を表示することができてユーザの省エネ意識を高めることができる地球環境保護に優れたヒートポンプ式給湯装置を提供することにある。
【０００６】
【課題を解決するための手段】
そこで請求項１のヒートポンプ式給湯装置は、インバータにより運転制御される圧縮機２５を有するヒートポンプユニット２を備え、このヒートポンプユニット２で加熱された温水を水循環用ポンプ１３で貯湯タンク３に貯湯するヒートポンプ式給湯装置であって、上記水循環用ポンプ１３の消費電力量を、単位時間当りの消費電力と使用時間との積として算出すると共に、上記圧縮機２５の消費電力量を、上記インバータの入力電流センサ４３からの入力検知信号に基づいて演算した消費電力を使用時間で時間積分して算出し、上記水循環用ポンプ１３の消費電力量と圧縮機２５の消費電力量との合計をリモコンＲ等の表示手段に表示することを特徴としている。
【０００７】
上記請求項１のヒートポンプ式給湯装置では、水循環用ポンプ１３の消費電力量は時間的にほぼ一定であるので、単位時間当りの消費電力と使用時間との積、すなわち、（水循環用ポンプ１３のポンプ電力）×使用時間により算出することができる。また、圧縮機２５がインバータにより運転制御されるので、圧縮機２５の消費電力は、このインバータの入力電流センサ（インバータ保護用電流検出センサ）４３からの入力検知信号に基づいて演算することができる。このため、この求めた消費電力を使用時間で時間積分することによって、圧縮機２５の消費電力量を算出することができる。ところで、インバータにより運転制御される圧縮機２５を有するヒートポンプユニット２では入力電流センサ４３は、インバータの安全性を確保する上で必要不可欠な部品である。このヒートポンプ式給湯装置では、このような必要不可欠な部品をそのまま利用（使用）してこの圧縮機２５の消費電力を算出することができる。そして、水循環用ポンプ１３の算出した消費電力量と、圧縮機２５の算出した消費電力量と合計することによって、ほぼ機器全体の消費電力量を得ることができる。すなわち、異なる特性を有する二つの電気ユニットを備えているにもかかわらず、ほぼ機器全体の消費電力量を算出することができ、しかも、この消費電力量がリモコンＲ等に表示される。このため、ユーザは消費電力量（水循環用ポンプ１３の消費電力量と圧縮機２５の消費電力量との合計）を把握することができ、電気料金がわかり、高ければ無駄のない運転に努めるようになる。
【０００８】
請求項２のヒートポンプ式給湯装置は、水循環用ポンプ１３を有する貯湯ユニット１と、インバータにより運転制御される圧縮機２５を有するヒートポンプユニット２と、リモコンＲとを備えたヒートポンプ式給湯装置であって、上記貯湯ユニット１の消費電力量を、単位時間当りの消費電力と使用時間との積として算出すると共に、上記ヒートポンプユニット２の消費電力量を、上記インバータの入力電流センサ４３からの入力検知信号に基づいて演算した消費電力を使用時間で時間積分して算出し、上記貯湯ユニット１の消費電力量とヒートポンプユニット２の消費電力量との合計を機器全体の消費電力量として上記リモコンＲに表示することを特徴としている。
【０００９】
上記請求項２のヒートポンプ式給湯装置では、貯湯ユニット１の消費電力量は、単位時間当りの消費電力と使用時間との積、すなわち、（水循環用ポンプ１３のポンプ電力）×使用時間により算出することができる。また、ヒートポンプユニット２の消費電力は、このインバータの入力電流センサ（インバータ保護用電流検出センサ）４３からの入力検知信号に基づいて演算することができる。このため、この求めた消費電力を使用時間で時間積分することによって、ヒートポンプユニット２の消費電力量を算出することができる。この場合も、上記請求項１のヒートポンプ式給湯装置と同様、ヒートポンプ式給湯装置に必要不可欠な部品（入力電流センサ）４３をそのまま利用（使用）してこのヒートポンプユニット２の消費電力を算出することができる。そして、貯湯ユニット１側の算出した消費電力量と、ヒートポンプユニット２側の算出した消費電力量と合計することによって、機器全体の消費電力量を得ることができ、しかも、この消費電力量がリモコンＲに表示される。このため、ユーザは機器全体の消費電力量を把握することができ、電気料金がわかり、高ければ無駄のない運転に努めるようになる。
【００１０】
請求項３のヒートポンプ式給湯装置は、貯湯ユニット１が保温用電気ヒータ３５と風呂循環ポンプ２２とを有することを特徴としている。
【００１１】
上記請求項３のヒートポンプ式給湯装置では、貯湯ユニット１が、水循環用ポンプ１３に加えて保温用電気ヒータ３５と風呂循環ポンプ２２とを有するものであるが、貯湯ユニット１の消費電力量は、（保温用電気ヒータ３５のヒータ電力＋風呂循環ポンプ２２のポンプ電力）×使用時間と、（水循環用ポンプ１３のポンプ電力）×使用時間との和により算出できる。このため、このようなヒートポンプ式給湯装置であっても、ヒートポンプユニット２の消費電力量は、インバータの入力電流センサ４３からの入力検知信号に基づいて演算した消費電力を使用時間で時間積分して算出して求めることができ、機器全体の消費電力量を得ることができる。
【００１２】
請求項４のヒートポンプ式給湯装置は、上記ヒートポンプユニット２の制御手段３７で演算した消費電力を逐次上記貯湯ユニット１の制御手段３６に転送して、この貯湯ユニット１の制御手段３６にて機器全体の上記消費電力量の算出を行うことを特徴としている。
【００１３】
上記請求項４のヒートポンプ式給湯装置では、貯湯ユニット１の制御手段３６にて消費電力量の算出を行うので、貯湯ユニット１側にリモコンＲを設けることによって、この算出した消費電力量のリモコンＲへの伝送が行い易くなる。また、ヒートポンプユニット２の制御手段３７で演算した消費電力を逐次上記貯湯ユニット１の制御手段３６に転送するので、使用に応じた消費電力量をいわゆるリアル・タイムで確実に表示することができる。
【００１４】
請求項４のヒートポンプ式給湯装置は、上記圧縮機２５の消費電力を、インバータの電源電圧と入力電流との積に力率を乗じて算出する際に、上記圧縮機２５の周波数に基づいてこの力率を決定することを特徴としている。
【００１５】
上記請求項４のヒートポンプ式給湯装置では、圧縮機２５はインバータにより運転制御されているので、インバータの電源電圧と入力電流との積に力率を乗じること、すなわち、（インバータに印加する電源電圧）×（インバータを流れる入力電流）×力率を演算することにより、圧縮機２５の消費電力を算出することができ、また、この力率は、圧縮機２５の周波数に基づいて、例えば、近似式（Ａ×周波数＋Ｂ）（Ａ、Ｂは定数）にて決定（算出）することができる。これにより、圧縮機２５の消費電力を簡単にかつ安定して算出することができ、この消費電力に基づいてこの圧縮機２５の消費電力量を簡単に求めることができる。
【００１６】
請求項６のヒートポンプ式給湯装置は、上記圧縮機２５の消費電力を、インバータの電源電圧と入力電流との積に力率を乗じて算出する際に、上記入力電流に基づいてこの力率を決定することを特徴としている。
【００１７】
上記請求項６のヒートポンプ式給湯装置では、上記請求項５と同様に、（インバータに印加する電源電圧）×（インバータを流れる入力電流）×力率を演算することにより、圧縮機２５の消費電力を算出することができる。また、この力率は、上記入力電流に基づいて、例えば、近似式（Ｃ×入力電流＋Ｄ）（Ｃ、Ｄは定数）にて決定（算出）することができる。これにより、圧縮機２５の消費電力を簡単にかつ安定して算出することができ、この消費電力に基づいてこの圧縮機２５の消費電力量を簡単に求めることができる。
【００１８】
請求項７のヒートポンプ式給湯装置は、上記力率を電源周波数に応じて調整することを特徴している。
【００１９】
上記請求項７のヒートポンプ式給湯装置では、電源周波数が相違することによって、圧縮機２５の周波数に対する力率の値、及び入力電流に対する力率の値が変動するが、この変動に対応して力率を決定することができる。これにより、圧縮機２５の消費電力量を高精度に算出することができる。
【００２０】
【発明の実施の形態】
次に、この発明のヒートポンプ式給湯装置の具体的な実施の形態について、図面を参照しつつ詳細に説明する。図２はヒートポンプ式給湯装置の簡略図を示し、このヒートポンプ式給湯装置は、貯湯ユニット１とヒートポンプユニット（熱源ユニット）２とを備え、貯湯ユニット１の水（温湯）をヒートポンプユニット２にて加熱するものである。
【００２１】
貯湯ユニット１は貯湯タンク３を備え、この貯湯タンク３に貯湯された温湯が後述する浴槽１５等に供給される。すなわち、貯湯タンク３には、その底壁に給水口５が設けられると共に、その上壁に出湯口６が設けられている。そして、給水口５から貯湯タンク３に市水が供給され、出湯口６から高温の温湯が出湯される。また、貯湯タンク３には、その底壁に取水口１０が開設されると共に、側壁（周壁）の上部に湯入口１１が開設され、取水口１０と湯入口１１とが循環路１２にて連結されている。そして、この循環路１２に水循環用ポンプ１３と熱交換路１４とが介設されている。
【００２２】
また、上記出湯口６には出湯管１６が接続され、この出湯管１６の分岐部１７から、浴槽１５へ湯を供給するための供給管１８と、台所のカラン１９へ湯を供給するための供給管２０とが分岐されている。そして、供給管１８は第１・第２管２１ａ、２１ｂを有する循環路２１を備え、第１管２１ａには風呂循環ポンプ２２が介設され、第２管２１ｂには保温用電気ヒータ（風呂保温用電気ヒータ）３５が介設されている。また、循環路２１の第１・第２管２１ａ、２１ｂは、浴槽１５内に設けられた風呂接続アダプタ２４を介して連結されている。このため、風呂循環ポンプ２２が駆動すれば、浴槽１５内の湯が循環路２１を介して循環し、この循環の際に保温用電気ヒータ３５にてこの循環している湯が加熱され、浴槽１５内の湯を保温することができる。なお、供給管１８には開閉弁９が介設され、貯湯タンク３の湯を浴槽１５へ供給する際には、この開閉弁９は開状態とされ、湯を循環する際には、この開閉弁９は閉状態とされる。
【００２３】
次に、ヒートポンプユニット（熱源ユニット）２は冷媒回路を備え、この冷媒回路は、圧縮機２５と、熱交換路１４を構成する水熱交換器２６と、電動膨張弁（減圧機構）２７と、空気熱交換器（蒸発器）２８とを順に接続して構成される。すなわち、圧縮機２５の吐出管２９を水熱交換器２６に接続し、水熱交換器２６と電動膨張弁２７とを冷媒通路３０にて接続し、電動膨張弁２７と蒸発器２８とを冷媒通路３１にて接続し、蒸発器２８と圧縮機２５とをアキュームレータ３２が介設された冷媒通路３３にて接続している。これにより、圧縮機２５が駆動すると、水熱交換器２６が凝縮器として機能して、後述するように、熱交換路１４を流れる水を加熱することができる。
【００２４】
すなわち、上記装置においては、圧縮機２５を駆動させると共に、水循環用ポンプ１３を駆動（作動）させる。これによって、貯湯タンク３の底部に設けた取水口１０から貯溜水（温湯）が流出し、これが循環路１２の熱交換路１４を流通する。そのときこの熱交換路１４は加熱源（この場合、水熱交換器２６）にて加熱され、この温湯はこの熱交換路１４を通過することによって加熱され（沸上げられ）、湯入口１１から貯湯タンク３の上部に返流される。このような動作を継続して行うことによって、貯湯タンク３に高温の温湯を貯湯することができる。ところで、上記圧縮機２５はインバータにより運転制御される。
【００２５】
そして、上記貯湯タンク３に湯を貯める運転には、近年の現状の電力料金制度を考慮して、電力料金が昼間よりも安価に設定された深夜時間帯（例えば、２３時から７時の間の８時間）における貯湯タンクの沸上運転と、一日の必要湯量がこの沸上運転で不足するときに深夜時間帯外の昼間の追加運転とがあり、これら運転を行って上記一日の必要湯量を確保するものである。すなわち、一日に使用する量の沸上運転を、できる限り深夜時間帯の運転のみで終了させて、この深夜時間帯の運転で不足する場合に、電力料金が高く設定されている昼間の追加運転（追い焚き運転）を行うものである。
【００２６】
また、このヒートポンプ式給湯装置は、図１に示すように、貯湯ユニット１側の制御手段３６と、ヒートポンプユニット２側の制御手段３７とを備え、台所や浴室にはリモコンＲが配置される。そして、リモコンＲには、図示省略の複数の運転設定ボタンが設けられ、各運転設定ボタンが押されることによって、その各指示信号が図示省略の制御手段に制御手段３６及び制御手段３７に入力され、この制御手段３６、３７の指示によって、このヒートポンプ式給湯装置が運転される。なお、この制御手段３６、３７は例えばマイクロコンピュータを用いて構成することができる。
【００２７】
この場合、上記リモコンＲは、図３に示すように、その表示画面４０に消費電力量を表示することができる。その表示内容としては、前日の昼間消費電力量と、前日の深夜消費電力量と、複数日にわたって積算した昼間積算消費電力量と、複数日にわたって積算した深夜積算消費電力量とである。ここで、深夜とは、上記したように、２３時から次の日の午前７時までであり、昼間とは、この深夜時帯外をいう。そのため、この実施の形態では、２３時から次の２３時までを一日と呼ぶ。
【００２８】
また、このリモコンＲには、図３に示すように、表示選択キー４１、４２が設けられ、表示選択キー４１、４２を押すことによって、表示画面４０に表示される表示内容を変更することができる。すなわち、表示画面４０には、前日昼間消費電力量表示▲１▼と、前日深夜消費電力量表示▲２▼と、昼間積算消費電力量表示▲３▼と、深夜積算消費電力量表示▲４▼とがあり、さらには、リセット表示▲５▼がある。そして、表示選択キー４１、４２を押すことによって、これら▲１▼〜▲５▼の各表示を選択することができる。ここで、リセット表示▲５▼とは、昼間積算消費電力量表示▲３▼及び深夜積算消費電力量表示▲４▼における積算消費電力量をゼロにするための表示であり、この表示状態において、図示省略のリセットボタンを押すことによって、積算消費電力量がゼロとなって、この時点から再度消費電力量が積算される。なお、積算消費電力量を表示する場合、同時に積算日数を表示するのが好ましい。
【００２９】
この消費電力量は、貯湯ユニット１の消費電力量とヒートポンプユニット２の消費電力量との合計から求めることができる。貯湯ユニット１の消費電力量は、単位時間当りの消費電力と使用時間との積として制御手段３６にて算出（演算）することができる。ここで、単位時間当りの消費電力とは、（保温用電気ヒータ３５のヒータ電力）＋（風呂循環ポンプ２２のポンプ電力）と、（水循環用ポンプ１３のポンプ電力）であり、これらは時間的にほぼ一定であるので、〔（保温用電気ヒータ３５のヒータ電力）＋（風呂循環ポンプ２２のポンプ電力）〕×使用時間と、（水循環用ポンプ１３のポンプ電力）×使用時間にて求めることになる貯湯ユニット１の消費電力量は信頼性が高いものである。また、ヒートポンプユニット２の消費電力量は、圧縮機２５のインバータの入力電流センサ（保護用電流検出センサ）４３からの入力検知信号に基づいて消費電力を演算し、この演算した消費電力を使用時間で時間積分して算出する。
【００３０】
この場合、ヒートポンプユニット２の圧縮機２５はインバータにより運転制御されるので、ヒートポンプユニット２の消費電力は、制御手段３７にて、インバータの電源電圧と入力電流との積に力率を乗じて算出すること、すなわち、（インバータに印加する電源電圧）×（インバータを流れる入力電流）×力率の関係式から演算することができる。この場合、図４に示すように、力率は圧縮機２５の周波数に略比例することから、この圧縮機２５の周波数に基づいて、近似式（Ａ×周波数＋Ｂ）（Ａ、Ｂは定数である）で概算することができる。また、図５に示すように、力率は入力電流に略比例することから、この入力電流に基づいて、近似式（Ｃ×入力電流＋Ｄ）（Ｃ、Ｄは定数である）で概算することもできる。さらに、図４と図５とからわかるように、電源周波数には５０Ｈｚと６０Ｈｚとがあり、５０Ｈｚの場合の力率と、６０Ｈｚの場合の力率とが相違する。そのため、圧縮機２５の周波数に基づく場合でも、入力電流に基づく場合でも、この電源周波数に応じた最適の力率を算出（調整）することができる。このように、電源周波数に応じて決定すれば、ヒートポンプユニット２の消費電力を高精度に算出することができる。
【００３１】
そして、この制御手段３７にて演算したヒートポンプユニット２の消費電力は、通信線４４を介して貯湯ユニット１側の制御手段３６に逐次入力される。この制御手段３６では、上記したように、この演算されたヒートポンプユニット２の消費電力を使用時間で時間積分してこのヒートポンプユニット２の消費電力量を算出する。さらに、この制御手段３６には、貯湯ユニット１の演算された消費電力量が入力されているので、この貯湯ユニット１の消費電力量に、このヒートポンプユニット２の消費電力量を加えることによって、ヒートポンプ式給湯装置全体の消費電力量を演算（算出）することができる。そして、この算出された消費電力量を、上記のようにリモコンＲの表示画面４０に表示する。この場合、前日昼間消費電力量と、前日深夜消費電力量と、昼間積算消費電力量と、深夜積算消費電力量等に加工（演算）されて上記のように表示される。
【００３２】
このように上記装置においては、異なる特性を有する二つの電気ユニット１、２を備えているにもかかわらず、その機器全体の消費電力量を算出することができる。これにより、ユーザは、１日或いは複数日にわたる消費電力量を確認することができる。すなわち、ユーザは、無駄のない機器の運転に努めることになり、ユーザの省エネ意識を高めることができる地球環境保護に優れたヒートポンプ式給湯装置を提供することができる。また、上記のように算出された消費電力量はリモコンＲに表示されるので、ユーザは確実に消費電力量を把握することができ、常に無駄のない運転を心がけることができる。
【００３３】
さらに、ヒートポンプユニット２の消費電力を、インバータの電源電圧と入力電流との積に力率を乗じて算出する際に、圧縮機２５の周波数に基づいてこの力率を決定するものであるので、ヒートポンプユニット２の消費電力を簡単にかつ安定して算出することができ、この値に基づいてヒートポンプユニット２の消費電力量を簡単に求めることができる。しかも、インバータにより運転制御される圧縮機２５を有するヒートポンプユニット２では、インバータを保護する上で入力電流センサ４３は必要不可欠な部品である。このヒートポンプ式給湯装置では、このような必要不可欠な部品をそのまま利用（使用）してこのヒートポンプユニット２の消費電力を算出することができる。これにより、この種の既存のヒートポンプ式給湯装置をそのまま使用することができ、低コストにて、上記のように地球環境保護に優れたヒートポンプ式給湯装置を提供することができる。
【００３４】
また、貯湯ユニット１側の制御手段３６にて、消費電力量の演算（制御手段３７にて演算した消費電力に基づいてこの制御手段３６にて演算したヒートポンプユニット２の消費電力量と、この制御手段３６にて演算した貯湯ユニット１の消費電力量との合計の演算）を行うので、この制御手段３６に直結されるリモコンＲへの伝送が行い易い。さらに、ヒートポンプユニット２の制御手段３７で演算した消費電力を逐次上記貯湯ユニット１の制御手段３６に転送するので、使用に応じた消費電力量をいわゆるリアル・タイムで確実に表示することができる。これにより、ユーザは正確な運転状況の把握を頻繁に行うことができ、無駄のない運転を安定して行うように設定できる。
【００３５】
なお、リモコンＲの表示画面４０は、通常状態では給湯温度（浴室のシャワーや台所の蛇口から出湯する湯の温度）や時刻等の運転状況が表示され、消費電力量を表示したい場合に、このリモコンＲに設けられる図示省略の切換ボタンを操作することによって、消費電力量を表示することができる。
【００３６】
以上にこの発明の具体的な実施の形態について説明したが、この発明は上記形態に限定されるものではなく、この発明の範囲内で種々変更して実施することができる。例えば、リモコンＲに表示される消費電力量として、図３に示すもの以外に、深夜と昼間とを分けないものであってもよく、積算消費電力量として、その積算日数が所定日数を越えれば、リセットされるものであってもよい。また、単に前日や指定した日のみの消費電力量が表示されるものであってもよい。さらに、算出された消費電力量を、運転操作を行うためのリモコンＲに表示せずに、他の部位、例えば、貯湯ユニット１側やヒートポンプユニット２側に別途表示手段を設け、この表示手段に表示するようにしてもよい。また、ヒートポンプ式給湯装置として、保温用電気ヒータ３５や風呂循環ポンプ２２を有さないもの、つまりカラン１９側のみに給湯されるものであってもよい。このような場合、水循環用ポンプ１３の消費電力量と圧縮機２５の消費電力量とが算出され、この合計がリモコンＲ等の表示手段に表示されることになる。また、水循環用ポンプ１３としても、貯湯ユニット１側に設けることなく、ヒートポンプユニット２側に設けてもよく、さらには、これらのユニット１、２と独立した配管に介設するようにしてもよい。
【００３７】
【発明の効果】
請求項１のヒートポンプ式給湯装置によれば、異なる特性を有する二つの電気ユニットを備えているにもかかわらず、ほぼ機器全体の消費電力量を算出することができ、しかも、この消費電力量がリモコン等に表示される。このため、ユーザは消費電力量（水循環用ポンプの消費電力量と圧縮機の消費電力量との合計）を把握することができ、電気料金がわかり、高ければ無駄のない運転に努めるようになる。すなわち、ユーザの省エネ意識を高めることができる地球環境保護に優れたヒートポンプ式給湯装置を提供することができる。また、必要不可欠な部品（入力電流センサ）をそのまま利用（使用）して、消費電力を算出することができるので、この種の既存のヒートポンプ式給湯装置をそのまま使用することができ、低コストにて、地球環境保護に優れたヒートポンプ式給湯装を提供することができる。
【００３８】
請求項２のヒートポンプ式給湯装置によれば、ユーザは機器全体の消費電力量を確実に把握することができ、無駄のない運転に努めるようになる。すなわち、ユーザの省エネ意識を高めることができる地球環境保護に優れたヒートポンプ式給湯装置を提供することができる。また、上記請求項１のヒートポンプ式給湯装置と同様、必要不可欠な部品（入力電流センサ）をそのまま利用（使用）してこのヒートポンプユニットの消費電力を算出することができるので、この種の既存のヒートポンプ式給湯装置をそのまま使用することができ、低コストにて、上記のように地球環境保護に優れたヒートポンプ式給湯装を提供することができる。
【００３９】
請求項３のヒートポンプ式給湯装置によれば、貯湯ユニットが、水循環用ポンプに加えて保温用電気ヒータと風呂循環ポンプとを有するものであるが、このようなヒートポンプ式給湯装置であっても、機器全体の消費電力量を得ることができ、ユーザの省エネ意識を確実に高めることができる。
【００４０】
請求項４のヒートポンプ式給湯装置によれば、貯湯ユニット側にリモコンを設けることによって、この算出した消費電力量のリモコンへの伝送が行い易くなる。これによって、消費電力量の表示の信頼性が向上する。また、使用に応じた消費電力量をいわゆるリアル・タイムで確実に表示することができるので、ユーザは運転状況の把握を頻繁に行うことができ、無駄のない運転を常に心がけることができる。
【００４１】
請求項５又は請求項６のヒートポンプ式給湯装置によれば、ヒートポンプユニットの消費電力を簡単にかつ安定して算出することができ、この値に基づいてヒートポンプユニットの消費電力量を簡単に求めることができる。これにより、消費電力量の演算の信頼性が向上する。
【００４２】
請求項７のヒートポンプ式給湯装置によれば、ヒートポンプユニットの消費電力量を高精度に算出することができ、演算の信頼性が一層向上する。
【図面の簡単な説明】
【図１】この発明のヒートポンプ式給湯装置の実施の形態を示す簡略ブロック図である。
【図２】上記ヒートポンプ式給湯装置の貯湯ユニットとヒートポンプユニットの簡略図である。
【図３】上記ヒートポンプ式給湯装置のリモコンの簡略図である。
【図４】圧縮機の周波数と力率との関係を示すグラフ図である。
【図５】入力電流と力率との関係を示すグラフ図である。
【図６】従来のヒートポンプ式給湯装置を示す簡略図である。
【符号の説明】
１  貯湯ユニット
２  ヒートポンプユニット
１３  ポンプ
２２  風呂循環ポンプ
２５  圧縮機
３５  保温用電気ヒータ
３６  制御手段
３７  制御手段
４３  入力電流センサ
Ｒ  リモコン
【図１】
0003876701.tif 000002
【図２】
0003876701.tif 000003
【図３】
0003876701.tif 000004
【図４】
0003876701.tif 000005
【図５】
0003876701.tif 000006
【図６】
0003876701.tif 000007